(57)【要約】【課題】種々の空気調和機を単一のコントローラにより制御することのできる空気調和機のネットワークシステムを提供すること。【解決手段】コントローラから第１の電文を受信すると、この第１の電文を第３および第４のメモリ６，８に格納し、第１の電文受信から所定時間内にコントローラから第２の電文を受信すると、この第２の電文を第３および第４のメモリ６，８に格納した後、受信した第１および第２の電文の組み合わせの適否判定を行うようにした。また、第１の電文受信から所定時間内にコントローラから第２の電文を受信しないと、受信した第１の電文と第１のメモリ２に既に格納されている第２の電文の組み合わせの適否判定を行うようにした。さらに、適否判定に基づいて第１のメモリ２を書き換えて空気調和機の運転を制御するようにした。【選択図】　図１
2004044908.tif 000002
【特許請求の範囲】
【請求項１】
ネットワークを統括するコントローラにより空気調和機を制御することのできるネットワークシステムであって、
上記空気調和機が、リモコンあるいはネットワーク上から受信し格納した電文に基づいて上記空気調和機の運転を制御する第１のメモリと、リモコンから受信した電文を格納する第２のメモリと、ネットワーク上から受信した電文を格納する第３のメモリと、ネットワーク上から受信した電文を所定時間保持する第４のメモリとを備え、上記コントローラから第１の電文を受信すると、該第１の電文を上記第３および第４のメモリに格納し、上記第１の電文受信から所定時間内に上記コントローラから第２の電文を受信すると、該第２の電文を上記第３および第４のメモリに格納した後、受信した第１および第２の電文の組み合わせの適否判定を行う一方、上記第１の電文受信から所定時間内に上記コントローラから第２の電文を受信しないと、受信した第１の電文と上記第１のメモリに既に格納されている第２の電文の組み合わせの適否判定を行い、該適否判定に基づいて上記第１のメモリを書き換えて上記空気調和機の運転を制御するようにした空気調和機のネットワークシステム。
【請求項２】
受信した第１および第２の電文の組み合わせが適合と判定されると、該第１および第２の電文を上記第１のメモリに書き込み、上記第１および第２の電文に基づいて上記空気調和機の運転を制御するようにした請求項１に記載の空気調和機のネットワークシステム。
【請求項３】
受信した第１および第２の電文の組み合わせが不適と判定されると、上記第１の電文および該第１の電文に対応する上記第２の電文のデフォルト値を上記第１のメモリに書き込み、上記第１の電文および上記デフォルト値に基づいて上記空気調和機の運転を制御するようにした請求項１に記載の空気調和機のネットワークシステム。
【請求項４】
上記第１の電文が運転モードであり、上記第２の電文が温度設定値である請求項１乃至３のいずれか１項に記載の空気調和機のネットワークシステム。
【請求項５】
受信した第１の電文と上記第１のメモリに既に格納されている第２の電文の組み合わせが適合と判定されると、上記第１の電文を上記第１のメモリに書き込み、上記第１の電文および上記第１のメモリに既に格納されている第２の電文に基づいて上記空気調和機の運転を制御するようにした請求項１に記載の空気調和機のネットワークシステム。
【請求項６】
受信した第１の電文と上記第１のメモリに既に格納されている第２の電文の組み合わせが不適と判定されると、上記第１の電文を破棄するようにした請求項１に記載の空気調和機のネットワークシステム。
【請求項７】
上記第１の電文が温度設定値であり、上記第２の電文が運転モードである請求項５あるいは６に記載の空気調和機のネットワークシステム。
【発明の詳細な説明】
【０００１】
【発明の属する技術分野】
本発明は、ネットワークを統括するコントローラにより空気調和機を制御することのできる空気調和機のネットワークシステムに関する。
【０００２】
【従来の技術】
近年、ＣＯ２削減、医療費の削減、バリアフリーや安全な社会づくり等の課題に直面しており、この課題を効果的に解決するために、家庭あるいは地域全体において総合的なシステム構築を実現する設備系ネットワークが注目されている。
【０００３】
この設備系ネットワークは、伝送メディアとして電灯線、無線等を使用することで配線工事が不要となり、低コストで既築住宅にも広く設置することができ、システム開発を容易に短期間で行うことができるとともに、機器を接続するだけで容易に増設や変更ができ、社会システムと連携した高度なサービスが実現できることから、以下のようなサービスに極めて有効なネットワークである。
・機器リモートメンテナンスサービス
・セキュリティサービス
・ホームヘルスケアサービス
・快適生活支援サービス
・エネルギーサービス
・モバイルサービス
【０００４】
最近では、このネットワークシステムを使用してコントローラと複数の空気調和機の通信を行うことにより空気調和機の集中制御も行われており、以下、従来の空気調和機のネットワークシステムについて説明する。
【０００５】
従来のネットワークシステムにおいては、空気調和機の動作状態（運転／停止）、運転モード（自動／冷房／暖房／除湿／送風／その他）、温度自動設定、急速動作設定（急速／静音／通常運転）等種々の設定に関し詳細に規定されており、個々の設定について一つのプロパティ値が対応するよう規定されている。
【０００６】
また、このシステムに設けられる空気調和機には、空気調和機を運転させる内蔵マイコンとともに、以下の機能を有する複数のメモリ（ＲＡＭ）が設けられている。
・入力された電文に基づいて動作するエアコン制御ＲＡＭ
・個別リモコンから受信した電文を格納するリモコン受信電文格納ＲＡＭ
・ネット上から受信した電文を格納するネット受信電文格納ＲＡＭ
【０００７】
図９は、従来の空気調和機のネットワークシステムにおいて、ある空気調和機の運転を個別リモコンで制御する場合のリモコン受信電文格納ＲＡＭおよびエアコン制御ＲＡＭの動作を示すフローチャートである。
【０００８】
このネットワークシステムでは、ステップＳ５０において、リモコンからの電文をリモコン受信電文格納ＲＡＭが受信すると、ステップＳ５１において、受信した電文がリモコン受信電文格納ＲＡＭに書き込まれる。次のステップＳ５２において、電文受信の有無判定が行われ、受信がなかった場合はステップＳ５０に戻る一方、受信があった場合には、ステップＳ５３において、エアコン制御ＲＡＭへの書き込みが行われる。その後、次のステップＳ５４において、リモコン受信電文格納ＲＡＭの内容がクリアされ、ステップＳ５５において、エアコン制御ＲＡＭに書き込まれた内容に基づいて空気調和機の運転が制御される。
【０００９】
また、図１０は、従来の空気調和機のネットワークシステムにおいて、ある空気調和機の運転をネットワークを統括するコントローラ（以下、主コントローラという）で制御する場合のネット受信電文格納ＲＡＭおよびエアコン制御ＲＡＭの動作を示すフローチャートである。
【００１０】
ステップＳ６０において、主コントローラからの電文をネット受信電文格納ＲＡＭが受信すると、ステップＳ６１において、受信した電文がネット受信電文格納ＲＡＭに書き込まれる。次のステップＳ６２において、電文受信の有無判定が行われ、受信がなかった場合はステップＳ６０に戻る一方、受信があった場合には、ステップＳ６３において、エアコン制御ＲＡＭへの書き込みが行われる。その後、次のステップＳ６４において、ネット受信電文格納ＲＡＭの内容がクリアされ、ステップＳ６５において、エアコン制御ＲＡＭに書き込まれた内容に基づいて空気調和機の運転が制御される。
【００１１】
さらに、上述したエアコン内部ＲＡＭの構成を図１１乃至図１４を参照して説明する。
【００１２】
図１１に示されるように、エアコン制御ＲＡＭ１００には、空気調和機の動作状態、運転モード、温度設定値、…等の各プロパティに対応するプロパティ値が０１番地、０２番地、０３番地、…にそれぞれ格納されるとともに、リモコン受信電文格納ＲＡＭ１０２には、リモコン受信有無、空気調和機の動作状態、運転モード、温度設定値、…等の各プロパティに対応するプロパティ値が１００番地、１０１番地、１０２番地、１０３番地、…にそれぞれ格納される。また、ネット受信電文格納ＲＡＭ１０４には、ネット受信有無に関するプロパティ値が２００番地に、空気調和機の動作状態、運転モード、温度設定値等に関するプロパティ値が２０１番地に、２０１番地に格納されたプロパティ値に対応するプロパティ内容の１バイト目および２バイト目が２０２番地および２０３番地に、それぞれ格納される。
【００１３】
また、図１２は、エアコン制御ＲＡＭ１００、リモコン受信電文格納ＲＡＭ１０２およびネット受信電文格納ＲＡＭ１０４にそれぞれ格納される変数値（プロパティ値）を示している。
【００１４】
図１２に示されるように、エアコン制御ＲＡＭ１００の０１番地には、空気調和機が停止の場合には「００」が、運転の場合には「０１」がそれぞれ格納され、０２番地には、空気調和機の運転モードが自動の場合には「００」が、暖房の場合には「０１」が、冷房の場合には「０２」が、除湿の場合には「０３」が、送風の場合には「０４」がそれぞれ格納され、０３番地には、空気調和機の温度設定値が１６℃の場合には「００」が、１７℃の場合には「０１」が、…、２５℃の場合には「０９」が、２６℃の場合には「０Ａ」が、…、３１℃の場合には「０Ｆ」が、３２℃の場合には「１０」がそれぞれ格納される。
【００１５】
また、リモコン受信電文格納ＲＡＭ１０２の１００番地には、リモコンからの受信がない場合には「００」が、受信があった場合には「０１」がそれぞれ格納され、１０１番地、１０２番地および１０３番地には、エアコン制御ＲＡＭ１００の０１番地、０２番地および０３番地に転送されるプロパティ値がそれぞれ格納される。
【００１６】
さらに、ネット受信電文格納ＲＡＭ１０４の２００番地には、ネットワークからの受信がなかった場合には「００」が、受信があった場合には「０１」がそれぞれ格納され、２０１番地には、受信した電文のプロパティ値が格納され、受信した電文が、例えば空気調和機の動作状態の場合には「８０」が、運転モードの場合には「Ｂ０」が、温度設定値の場合には「Ｂ３」がそれぞれ格納される。また、ネット受信電文格納ＲＡＭ１０４の２０２番地、２０３番地、…には、２０１番地に格納されたプロパティ内容の１バイト目、２バイト目、…に対応するプロパティ値がそれぞれ格納される。
【００１７】
図１３は、個別リモコンからの電文をリモコン受信電文格納ＲＡＭ１０２が受信し、最終的にエアコン制御ＲＡＭ１００のデータが書き換えられるまでの動作を示している。
【００１８】
ある空気調和機のリモコンにより運転／冷房／２５℃が設定され、この電文が空気調和機に送信されると、リモコン受信電文格納ＲＡＭ１０２は、その１００番地〜１０３番地が「０１」、「０１」、「０２」、「０９」と書き換えられ、さらにエアコン制御ＲＡＭ１００は、その０１番地〜０３番地が「０１」、「０２」、「０９」と書き換えられる。その結果、空気調和機は、エアコン制御ＲＡＭ１００の０１番地〜０３番地に格納されたプロパティ値に対応して冷房／２５℃の設定により運転を開始する。
【００１９】
図１４は、ネットワークを統括するコントローラからネットワークを介して送信された電文をネット受信電文格納ＲＡＭ１０４が受信し、最終的にエアコン制御ＲＡＭ１００のデータが書き換えられるまでの動作を示しており、特に除湿／２５℃から冷房／２７℃に設定変更が行われた場合を示している。
【００２０】
図１４に示されるように、まず運転モード「冷房」の電文がネット受信電文格納ＲＡＭ１０４に書き込まれ、その２０２番地が「０２」に書き換えられるとともに２００番地および２０１番地は「０１」および「Ｂ０」にそれぞれ維持される。その後、エアコン制御ＲＡＭ１００への書き込みが行われ、その０２番地が「０２」に書き換えられるとともに、０１番地および０３番地が「０１」および「０９」にそれぞれ維持され、空気調和機は書き換えられたプロパティ値に対応する運転を行う。
【００２１】
次に、温度設定値「２７℃」の電文がネット受信電文格納ＲＡＭ１０４に書き込まれ、その２００番地および２０２番地は「０１」および「Ｂ３」にそれぞれ維持される一方、２０２番地は「０Ｂ」に換えられる。その後、エアコン制御ＲＡＭ１００への書き込みが行われ、その０１番地および０２番地は「０１」および「０２」にそれぞれ維持される一方、０３番地は「０Ｂ」に書き換えられ、空気調和機は書き換えられたプロパティ値に対応する運転を行う。
【００２２】
【発明が解決しようとする課題】
しかしながら、上述した従来の空気調和機のネットワークシステムにおいては、拡張運転モード（例えば本格除湿あるいは再熱除湿運転モード）、拡張温度設定値（例えば相対温度）等の新たな設定に対しては、取り決めがなされておらず、詳細規定がないことから、そのような設定が可能な種々の空気調和機（例えば、メーカ毎に設定の異なる空気調和機）を単一のネットワークコントローラにより制御することは不可能であった。
【００２３】
本発明は、従来技術の有するこのような問題点に鑑みてなされたものであり、種々の空気調和機を単一のコントローラにより制御することのできる空気調和機のネットワークシステムを提供することを目的としている。
【００２４】
【課題を解決するための手段】
上記目的を達成するために、本発明のうちで請求項１に記載の発明は、ネットワークを統括するコントローラにより空気調和機を制御することのできるネットワークシステムであって、上記空気調和機が、リモコンあるいはネットワーク上から受信し格納した電文に基づいて上記空気調和機の運転を制御する第１のメモリと、リモコンから受信した電文を格納する第２のメモリと、ネットワーク上から受信した電文を格納する第３のメモリと、ネットワーク上から受信した電文を所定時間保持する第４のメモリとを備え、上記コントローラから第１の電文を受信すると、該第１の電文を上記第３および第４のメモリに格納し、上記第１の電文受信から所定時間内に上記コントローラから第２の電文を受信すると、該第２の電文を上記第３および第４のメモリに格納した後、受信した第１および第２の電文の組み合わせの適否判定を行う一方、上記第１の電文受信から所定時間内に上記コントローラから第２の電文を受信しないと、受信した第１の電文と上記第１のメモリに既に格納されている第２の電文の組み合わせの適否判定を行い、該適否判定に基づいて上記第１のメモリを書き換えて上記空気調和機の運転を制御するようにしたことを特徴とする。
【００２５】
また、請求項２に記載の発明は、受信した第１および第２の電文の組み合わせが適合と判定されると、該第１および第２の電文を上記第１のメモリに書き込み、上記第１および第２の電文に基づいて上記空気調和機の運転を制御するようにしたことを特徴とする。
【００２６】
さらに、請求項３に記載の発明は、受信した第１および第２の電文の組み合わせが不適と判定されると、上記第１の電文および該第１の電文に対応する上記第２の電文のデフォルト値を上記第１のメモリに書き込み、上記第１の電文および上記デフォルト値に基づいて上記空気調和機の運転を制御するようにしたことを特徴とする。
【００２７】
また、請求項４に記載の発明は、上記第１の電文が運転モードであり、上記第２の電文が温度設定値であることを特徴とする。
【００２８】
また、請求項５に記載の発明は、受信した第１の電文と上記第１のメモリに既に格納されている第２の電文の組み合わせが適合と判定されると、上記第１の電文を上記第１のメモリに書き込み、上記第１の電文および上記第１のメモリに既に格納されている第２の電文に基づいて上記空気調和機の運転を制御するようにしたことを特徴とする。
【００２９】
また、請求項６に記載の発明は、受信した第１の電文と上記第１のメモリに既に格納されている第２の電文の組み合わせが不適と判定されると、上記第１の電文を破棄するようにしたことを特徴とする。
【００３０】
また、請求項７に記載の発明は、上記第１の電文が温度設定値であり、上記第２の電文が運転モードであることを特徴とする。
【００３１】
【発明の実施の形態】
以下、本発明の実施の形態について、図面を参照しながら説明する。
本発明にかかる空気調和機のネットワークシステムは、従来のネットワークシステムと同様、空気調和機の動作状態（運転／停止）、運転モード（自動／冷房／暖房／除湿／送風／その他）、温度自動設定、急速動作設定（急速／静音／通常運転）等種々の設定に関し詳細に規定されており、個々の設定について一つのプロパティ値が対応するよう規定されている。
【００３２】
また、本発明にかかるネットワークシステムに設けられる空気調和機には、空気調和機を運転させる内蔵マイコンとともに、以下の機能を有する複数のメモリ（ＲＡＭ）が設けられている。
・入力された電文に基づいて動作するエアコン制御ＲＡＭ
・個別リモコンから受信した電文を格納するリモコン受信電文格納ＲＡＭ
・ネット上から受信した電文を格納するネット受信電文格納ＲＡＭ
・新たな設定に対応するためにネットワークからの電文を所定時間保持するネット受信電文保持ＲＡＭ
【００３３】
次に、新たな設定が拡張運転モードおよび拡張温度設定値である場合の本発明にかかるネットワークシステムにおいて、ある空気調和機の運転を主コントローラで制御する場合のエアコン内部ＲＡＭの動作を、図１に示されるフローチャートを参照しながら説明する。
【００３４】
まずステップＳ１において、第１の電文（運転モードおよび温度設定値のいずれか一方の電文）が受信されると、ステップＳ２において、受信内容のネット受信電文格納ＲＡＭへの書き込みが行われ、次のステップＳ３において、受信内容のネット受信電文保持ＲＡＭへの書き込みが行われる。その後、ステップＳ４において、第１の電文受信後、所定時間が経過したかどうかが内蔵マイコンによりされ、所定時間が経過していない場合には、ステップＳ５において、第２の電文（運転モードおよび温度設定値の他方の電文）が受信されたかどうかが判定される。ステップＳ５において、第２の電文受信があったと判定されると、ステップＳ６において、運転モードと温度設定値の組み合わせ判定が内蔵マイコンにより行われ、適合していると判定されると、ステップＳ７に移行する。
【００３５】
ステップＳ７では、エアコン制御ＲＡＭへの書き込みが行われ、次のステップＳ８において、ネット受信電文格納ＲＡＭおよびネット受信電文保持ＲＡＭがクリアされ、ステップＳ９において、エアコン制御ＲＡＭに格納された内容に基づいて空気調和機の運転が制御される。
【００３６】
一方、ステップＳ５において、第２の電文受信がなかったと判定されると、ステップＳ４に戻る。
【００３７】
また、ステップＳ４において、第１の電文受信後、所定時間が経過したと判定されると、ステップＳ１０において、第１の電文が運転モードか温度設定値かが判定される。ステップＳ１０における判定が運転モードの場合、ステップＳ１１において、受信した運転モードと現在の温度設定値（エアコン制御ＲＡＭに格納されている温度設定値）の組み合わせ判定が行われ、受信した運転モードと現在の温度設定値の組み合わせが適合している場合には、ステップＳ７に移行する。一方、ステップＳ１１において、受信した運転モードと現在の温度設定値の組み合わせが不適と判定された場合、あるいは、ステップＳ６において、運転モードと温度設定値の組み合わせが不適と判定された場合には、ステップＳ１２において、受信した運転モードに対応する温度設定値のデフォルト値を採用して、ステップＳ７に移行する。
【００３８】
さらに、ステップＳ１０における判定が温度設定値の場合には、ステップＳ１３において、受信した温度設定値と現在の運転モード（エアコン制御ＲＡＭに格納されている運転モード）の組み合わせ判定が行われ、適合している場合には、ステップＳ７に移行する一方、適合していない場合には、ステップＳ１４において受信電文（温度設定値）が破棄された後、ステップＳ１に戻る。
【００３９】
なお、空気調和機の運転を個別リモコンで制御する場合のリモコン受信電文格納ＲＡＭおよびエアコン制御ＲＡＭの動作については、従来の空気調和機のネットワークシステムと同じなので、その説明は省略する。
【００４０】
さらに、上述したエアコン内部ＲＡＭの構成を図２乃至図８を参照して説明する。
【００４１】
図２に示されるように、エアコン制御ＲＡＭ２には、空気調和機の動作状態、運転モード、温度設定値、拡張温度設定値…等の各プロパティに対応するプロパティ値が０１番地、０２番地、０３番地、０４番地…にそれぞれ格納されるとともに、リモコン受信電文格納ＲＡＭ４には、リモコン受信有無、空気調和機の動作状態、運転モード、温度設定値、…等の各プロパティに対応するプロパティ値が１００番地、１０１番地、１０２番地、１０３番地、…にそれぞれ格納される。また、ネット受信電文格納ＲＡＭ６には、ネット受信有無に関するプロパティ値が２００番地に、空気調和機の動作状態、運転モード、温度設定値等に関するプロパティ値が２０１番地に、２０１番地に格納されたプロパティ値に対応するプロパティ内容の１バイト目および２バイト目が２０２番地および２０３番地に、それぞれ格納される。
【００４２】
図３は、エアコン制御ＲＡＭ２、リモコン受信電文格納ＲＡＭ４およびネット受信電文格納ＲＡＭ６にそれぞれ格納される変数値（プロパティ値）を示している。
【００４３】
図３に示されるように、エアコン制御ＲＡＭ２の０１番地には、空気調和機が停止の場合には「００」が、運転の場合には「０１」がそれぞれ格納され、０２番地には、空気調和機の運転モードが自動の場合には「００」が、暖房の場合には「０１」が、冷房の場合には「０２」が、除湿の場合には「０３」が、送風の場合には「０４」がそれぞれ格納され、０３番地には、空気調和機の温度設定値が１６℃の場合には「００」が、１７℃の場合には「０１」が、…、２５℃の場合には「０９」が、２６℃の場合には「０Ａ」が、…、３１℃の場合には「０Ｆ」が、３２℃の場合には「１０」がそれぞれ格納される。
【００４４】
また、リモコン受信電文格納ＲＡＭ４の１００番地には、リモコンからの受信がない場合には「００」が、受信があった場合には「０１」がそれぞれ格納され、１０１番地、１０２番地および１０３番地には、エアコン制御ＲＡＭ２の０１番地、０２番地および０３番地に転送されるプロパティ値がそれぞれ格納される。
【００４５】
さらに、ネット受信電文格納ＲＡＭ６の２００番地には、ネットワークからの受信がない場合には「００」が、受信があった場合には「０１」がそれぞれ格納され、２０１番地には、受信した電文のプロパティ値が格納され、受信した電文が、例えば空気調和機の動作状態の場合には「８０」が、運転モードの場合には「Ｂ０」が、温度設定値の場合には「Ｂ３」が、拡張運転モードの場合には「ＣＣ」が、拡張温度設定値の場合には「ＣＤ」がそれぞれ格納される。また、ネット受信電文格納ＲＡＭ６の２０２番地、２０３番地、…には、２０１番地に格納されたプロパティ内容の１バイト目、２バイト目、…に対応するプロパティ値がそれぞれ格納される。
【００４６】
図３は、特に絶対温度以外で設定される再熱除湿運転モードおよび衣類乾燥運転モードを有する空気調和機に適用した場合を示しており、再熱除湿運転モードのプロパティ値は「１０」に、衣類乾燥運転モードのプロパティ値は「１１」にそれぞれ設定されるとともに、相対温度±０℃は「４０」に、−１℃は「３Ｆ」に、−２℃は「３Ｅ」に、＋１℃は「４１」に、＋２℃は「４２」に、…それぞれ設定されている。
【００４７】
図４は、個別リモコンからの電文をリモコン受信電文格納ＲＡＭ４が受信し、最終的にエアコン制御ＲＡＭ２のデータが書き換えられるまでの動作を示している。
【００４８】
ある空気調和機のリモコンにより運転／冷房／２５℃が設定され、この電文が空気調和機に送信されると、リモコン受信電文格納ＲＡＭ４は、その１００番地〜１０３番地が「０１」、「０１」、「０２」、「０９」と書き換えられ、さらにエアコン制御ＲＡＭ２は、その０１番地〜０３番地が「０１」、「０２」、「０９」と書き換えられる。その結果、空気調和機は、エアコン制御ＲＡＭ２の０１番地〜０３番地に格納されたプロパティ値に対応して冷房／２５℃の設定により運転を開始する。このように、リモコンからの受信の場合は、従来のネットワークと同様、運転モードと温度設定値は適した組み合わせを確実に受信することができる。
【００４９】
図５は、主コントローラからネットワークを介して送信された電文をネット受信電文格納ＲＡＭ６が受信し、最終的にエアコン制御ＲＡＭ２のデータが書き換えられるまでの動作を示しており、参考例として、特に冷房運転モードでは絶対温度で設定が行われ、再熱除湿運転モードでは相対温度で設定される空気調和機に対し、主コントローラから再熱除湿／相対温度−１℃から冷房／２７℃に設定変更が行われた場合を示している。
【００５０】
図５に示されるように、まず運転モード「冷房」の電文がネット受信電文格納ＲＡＭ６に書き込まれ、その２００番地および２０１番地は「０１」および「Ｂ０」に維持される一方、２０２番地が「０２」に書き換えられた後、エアコン制御ＲＡＭ２への書き込みが行われ、その０２番地が「０２」に書き換えられ、０１番地および０３番地は「０１」および「３Ｆ」にそれぞれ維持される。したがって、この時点では、運転モードは「冷房」で、相対温度は「−１℃」に設定されてしまうことになる。
【００５１】
この状態では、冷房運転モードでは絶対温度で設定を行うよう規定されており、冷房と相対温度の組み合わせがないことから、空気調和機の制御そのものが不可能になる。
【００５２】
そこで、本発明にかかる空気調和機のネットワークにおいては、図６に示されるように、まず運転モード「冷房」の電文がネット受信電文格納ＲＡＭ６に書き込まれ、その２００番地〜２０２番地が「０１」、「Ｂ０」、「０２」にそれぞれ設定された後、ネット受信電文保持ＲＡＭ８への書き込みが行われ、その３０１番地および３０２番地に「Ｂ０」および「０２」がそれぞれ書き込まれる。
【００５３】
さらに、所定時間内に温度設定値（２７℃）の電文をネット受信電文格納ＲＡＭ６が受信すると、ネット受信電文格納ＲＡＭ６への書き込みが行われ、その２００番地〜２０２番地が「０１」、「Ｂ３」、「０Ｂ」に設定された後、ネット受信電文保持ＲＡＭ８への書き込みが行われ、その３０３番地および３０４番地が「Ｂ３」および「０Ｂ」にそれぞれ設定される一方、３０１番地および３０２番地は「Ｂ０」および「０２」にそれぞれ維持される。
【００５４】
この時点で、運転モードと温度設定値の組み合わせの適否が判定されるが、この場合は運転モードと温度設定値の組み合わせが適合していることから、エアコン制御ＲＡＭ２への書き込みが行われ、その０１番地〜０３番地が「０１」、「０２」、「０Ｂ」にそれぞれ設定され、空気調和機は書き換えられたプロパティ値に対応する運転を行うよう制御される。
【００５５】
一方、所定時間内に温度設定値の電文をネット受信電文格納ＲＡＭ６が受信しなかった場合、エアコン制御ＲＡＭ２の０３番地には依然として相対温度−１℃を示す「３Ｆ」が設定されていることから、運転モードと温度設定値の組み合わせは不適と判定される。その結果、最初に受信した運転モード「冷房」のみ受信したものと判定され、エアコン制御ＲＡＭ２の０３番地に格納されたプロパティ値は破棄されるとともに、「冷房」に対応する温度設定値のデフォルト値が採用されて、エアコン制御ＲＡＭ２への書き込みが行われ、空気調和機は書き込まれたプロパティ値に対応する運転を行う。
【００５６】
また、所定時間内に温度設定値の電文を主コントローラが送信しても、温度設定値の電文が相対温度設定値の場合には、同様に、運転モードと温度設定値の組み合わせは不適と判定され、「冷房」に対応する温度設定値のデフォルト値が採用されて、エアコン制御ＲＡＭ２への書き込みが行われる。
【００５７】
さらに、ネット受信電文格納ＲＡＭ６が運転モードの電文を受信することなく、温度設定値の電文のみ受信した場合、受信した温度設定値と現在動作している運転モードの組み合わせの適否を判定し、適合している場合には、エアコン制御ＲＡＭ２への書き込みが行われて、温度設定値が変更される一方、不適と判定された場合には、受信した温度設定値は破棄され、現在の運転状態が維持される。
【００５８】
図８は、上述した運転モードおよび温度設定値の両方あるいはいずれか一方を受信した場合の制御内容をまとめた表である。
【００５９】
運転モードと温度設定値の組み合わせが適合した例としては、自動／冷房／暖房と絶対温度、あるいは、再熱除湿と相対温度等が考えられるが、この組み合わせは１例に過ぎず、空気調和機の機種等により異なる場合も考えられる。
【００６０】
なお、上記実施の形態においては、ネット受信電文格納ＲＡＭ６が運転モードの電文を受信することなく、温度設定値の電文のみ受信し、受信した温度設定値と現在動作している運転モードの組み合わせが不適と判定された場合には、受信した温度設定値を破棄するようにしたが、受信した温度設定値に対応する運転モードのデフォルト（例えば自動運転）を設定し、採用するようにしてもよい。
【００６１】
【発明の効果】
本発明は、以上説明したように構成されているので、以下に記載されるような効果を奏する。
本発明によれば、空気調和機がコントローラから第１の電文を受信すると、第１の電文を第３および第４のメモリ（ネット受信電文格納ＲＡＭおよびネット受信電文保持ＲＡＭ）に格納し、第１の電文受信から所定時間内にコントローラから第２の電文を受信すると、この第２の電文を第３および第４のメモリに格納した後、受信した第１および第２の電文の組み合わせの適否判定を行う一方、第１の電文受信から所定時間内にコントローラから第２の電文を受信しないと、受信した第１の電文と第１のメモリ（エアコン制御ＲＡＭ）に既に格納されている第２の電文の組み合わせの適否判定を行い、この適否判定に基づいて第１のメモリを書き換えて空気調和機の運転を制御するようにしたので、設定の異なる種々の空気調和機を単一のコントローラにより制御することができる。
【図面の簡単な説明】
【図１】本発明にかかる空気調和機のネットワークシステムにおいて、ある空気調和機の運転を主コントローラで制御する場合のエアコン内部ＲＡＭの動作を示すフローチャートである。
【図２】エアコン内部ＲＡＭの構成を示す概略図である。
【図３】エアコン内部ＲＡＭに格納される変数値を示す概略図である。
【図４】個別リモコンからの電文をリモコン受信電文格納ＲＡＭが受信し、最終的にエアコン制御ＲＡＭのデータが書き換えられるまでの動作を示す該略図である。
【図５】ネットワークを介して送信された電文をネット受信電文格納ＲＡＭが受信し、最終的にエアコン制御ＲＡＭのデータが書き換えられるまでの動作を示す該略図である。
【図６】ネットワークを介して受信された電文をネット受信電文格納ＲＡＭが受信し、ネット受信電文保持ＲＡＭのデータが書き換えられるまでの動作を示す該略図である。
【図７】ネットワークを介して受信された別の電文をネット受信電文格納ＲＡＭが受信し、最終的にエアコン制御ＲＡＭのデータが書き換えられるまでの動作を示す該略図である。
【図８】運転モードおよび温度設定値の両方あるいはいずれか一方を受信した場合の制御内容をまとめた表である。
【図９】従来の空気調和機のネットワークシステムにおいて、ある空気調和機の運転を個別リモコンで制御する場合のエアコン内部ＲＡＭの動作を示すフローチャートである。
【図１０】従来の空気調和機のネットワークシステムにおいて、ある空気調和機の運転を主コントローラで制御する場合のエアコン内部ＲＡＭの動作を示すフローチャートである。
【図１１】従来のネットワークシステムに設けられたエアコン内部ＲＡＭの構成を示す概略図である。
【図１２】従来のネットワークシステムに設けられたエアコン内部ＲＡＭに格納される変数値を示す概略図である。
【図１３】従来のネットワークシステムにおいて、個別リモコンからの電文をリモコン受信電文格納ＲＡＭが受信し、最終的にエアコン制御ＲＡＭのデータが書き換えられるまでの動作を示す該略図である。
【図１４】従来のネットワークを介して送信された電文をネット受信電文格納ＲＡＭが受信し、最終的にエアコン制御ＲＡＭのデータが書き換えられるまでの動作を示す該略図である。
【符号の説明】
２　エアコン制御ＲＡＭ
４　リモコン受信電文格納ＲＡＭ
６　ネット受信電文格納ＲＡＭ
８　ネット受信電文保持ＲＡＭ
【図１】
2004044908.tif 000003
【図２】
2004044908.tif 000004
【図３】
2004044908.tif 000005
【図４】
2004044908.tif 000006
【図５】
2004044908.tif 000007
【図６】
2004044908.tif 000008
【図７】
2004044908.tif 000009
【図８】
2004044908.tif 000010
【図９】
2004044908.tif 000011
【図１０】
2004044908.tif 000012
【図１１】
2004044908.tif 000013
【図１２】
2004044908.tif 000014
【図１３】
2004044908.tif 000015
【図１４】
2004044908.tif 000016